(57)【要約】【課題】自転車の使用中に亀裂やゆるみ等の異常が発生すると、自転車の使用者に異常が発生していることを知らせる自転車用警報装置を提供する。【解決手段】自転車用警報装置１Ａは、設定手段１０で正常状態に設定して自転車の正常状態の振動加速度を検出し、検出した振動加速度を周波数分析手段３０Ａで周波数分布を算出し、記憶手段４０Ａに記憶する。異常監視状態では、設定手段１０で異常監視状態に設定して振動加速度を検出し、そのデータから周波数分析手段３０Ａで周波数分布を算出する。判定手段５０Ａで監視状態の周波数分布と記憶手段４０Ａに記憶されている正常状態の周波数分布とを比較分析して異常の有無を判定する。判定手段５０Ａで異常が発生していると判定された場合には、警報手段６０で自転車の使用者に対して亀裂やゆるみ等の異常が発生していることを知らせる。【選択図】図１
2018188115.tif 000002
【特許請求の範囲】
【請求項１】
自転車に亀裂やゆるみ等の異常がない状態（正常状態）での振動加速度の検出か、又は前記自転車の異常を監視する状態（異常監視状態）での振動加速度の検出か、の検出条件を設定する設定手段と、
前記設定手段で前記検出条件を設定後に、前記自転車の走行中の振動加速度を検出して、前記検出条件別にデータを出力する検出手段と、
前記検出手段から出力されたデータを入力して、前記検出条件別に周波数分布を算出する周波数分析手段と、
前記設定手段で前記正常状態に設定して、前記検出手段により検出して出力されたデータを前記周波数分析手段に入力して算出された周波数分布を記憶する記憶手段と、
前記設定手段で前記異常監視状態に設定して、前記検出手段により検出して出力されたデータを前記周波数分析手段に入力して算出した周波数分布を、前記記憶手段で記憶されている周波数分布と、予め定められた判定基準に基づいて比較分析して、亀裂やゆるみ等の異常の有無を判定する判定手段と、
前記判定手段で亀裂やゆるみ等の異常が発生していると判定された場合に、前記自転車の使用者に対して亀裂やゆるみ等の異常が発生していることを知らせる警報手段を備えていることを特徴とする自転車用警報装置。
【請求項２】
自転車に亀裂やゆるみ等の異常がない状態（正常状態）での振動加速度の検出か、又は前記自転車の異常を監視する状態（異常監視状態）での振動加速度の検出か、の検出条件を設定する設定手段と、
前記設定手段で前記検出条件を設定後に、前記自転車の走行中の振動加速度を検出して、前記検出条件別にデータを出力する検出手段と、
前記検出手段で前記検出条件別に検出して、出力されたデータを入力して、前記検出条件別にパワースペクトルを求めてピーク周波数を算出する周波数分析手段と、
前記設定手段で前記正常状態に設定して、前記検出手段により検出して出力されたデータを前記周波数分析手段に入力して算出したピーク周波数を記憶する記憶手段と、
前記設定手段で前記異常監視状態に設定して、前記検出手段により検出して出力されたデータを前記周波数分析手段に入力して算出したピーク周波数と、前記記憶手段で記憶されているピーク周波数との周波数差値を算出して、前記周波数差値の絶対値が予め定められた判定値以上であると、亀裂やゆるみ等の異常が発生していると判定する判定手段と、
前記判定手段で亀裂やゆるみ等の異常が発生していると判定された場合に、前記自転車の使用者に対して亀裂やゆるみ等の異常が発生していることを知らせる警報手段を備えていることを特徴とする自転車用警報装置。
【請求項３】
前記警報手段は、前記判定手段で亀裂やゆるみ等の異常が発生していると判定された場合に、前記自転車の使用者に対してランプを点灯して、亀裂やゆるみ等の異常が発生していることを知らせることを特徴とする請求項１又は請求項２に記載の自転車用警報装置。
【請求項４】
前記警報手段は、前記判定手段で亀裂やゆるみ等の異常が発生していると判定された場合に、前記自転車の使用者に対して音を鳴らして、又は音を鳴らすとともにランプを点灯して、亀裂やゆるみ等の異常が発生していることを知らせることを特徴とする請求項１又は請求項２に記載の自転車用警報装置。
【発明の詳細な説明】
【技術分野】
【０００１】  本発明は、自転車の使用中に自転車に亀裂やゆるみ等の異常が発生すると、自転車の使用者に亀裂やゆるみ等の異常が発生していることを知らせて、自転車の点検整備を促す自転車用警報装置に関する。
【背景技術】
【０００２】  自動車は使用中に異常が発生した場合に警報ランプを点灯して、使用者に点検整備を促す警報装置が取り付けられているが、自転車には使用中に異常が発生した場合に、使用者に異常が発生していることを知らせる警報装置が取り付けられていない。
【発明の概要】
【発明が解決しようとする課題】
【０００３】  本発明は自転車の使用中に亀裂やゆるみ等の異常が発生すると、自転車の使用者に亀裂やゆるみ等の異常が発生していることを知らせる自転車用警報装置を提供することを課題とする。
【課題を解決するための手段】
【０００４】  本発明に係る自転車用警報装置は、自転車の走行中の振動加速度を検出する前に、自転車に異常がない正常状態での振動加速度の検出か、自転車の異常を監視する異常監視状態での振動加速度の検出か、の検出条件を設定する設定手段を有している。前記の検出条件設定後に、検出手段で自転車の走行中の振動加速度を検出して、検出条件別にデータを出力する。次に周波数分析手段に、検出手段で検出条件別に検出して出力されたデータを入力して、検出条件別の周波数分布を算出する。【０００５】  設定手段で正常状態に設定して、検出手段で検出して出力されたデータを周波数分析手段に入力して周波数分布を算出し、自転車が正常状態の周波数分布として記憶手段で記憶する。判定手段において、設定手段で異常監視状態に設定して、検出手段で検出して出力されたデータを周波数分析手段に入力して算出された周波数分布と、記憶手段で記憶されている正常状態周波数分布とを、予め定められた判定基準に基づいて比較分析して、亀裂やゆるみ等の異常の有無を判定する。判定手段で亀裂やゆるみ等の異常が発生していると判定された場合には、警報手段で自転車の使用者に対して亀裂やゆるみ等の異常が発生していることを知らせる。これらの手段とステップで構成されていることを特徴とする。【０００６】  本発明に係るもう一つの自転車用警報装置は、自転車の走行中の振動加速度を検出する前に、自転車に異常がない正常状態での振動加速度の検出か、自転車の異常を監視する異常監視状態での振動加速度の検出か、の検出条件を設定する設定手段を有している。前記の設定手段で検出条件を設定後に、検出手段で自転車の走行中の振動加速度を検出して、検出条件別にデータを出力する。次に周波数分析手段に、検出手段で検出条件別に検出して出力されたデータを入力して、検出条件別のパワースペクトルを求めて、検出条件別のピーク周波数を算出する。【０００７】  設定手段で正常状態に設定して、検出手段で検出して出力されたデータを周波数分析手段に入力してピーク周波数を算出し、自転車が正常な状態のピーク周波数として記憶手段で記憶する。判定手段において、設定手段で異常監視状態に設定して、検出手段で検出して出力されたデータを周波数分析手段に入力して算出されたピーク周波数と、前記記憶手段で記憶されているピーク周波数との周波数差値を算出して、周波数差値の絶対値が予め定められた判定値以上であると、亀裂やゆるみ等の異常が発生していると判定する。判定手段で亀裂やゆるみ等の異常が発生していると判定された場合には、警報手段で自転車の使用者に対して亀裂やゆるみ等の異常が発生していることを知らせる。これらの手段とステップで構成されていることを特徴とする。【０００８】  警報手段の具体的な方法としては、自転車の使用者に対してランプを点灯して、亀裂やゆるみ等の異常が発生していることを知らせることを特徴とする。【０００９】  別の具体的な警報手段としては、自転車の使用者に対して音を鳴らして、又は音を鳴らすとともにランプを点灯して、亀裂やゆるみ等の異常が発生していることを知らせることを特徴とする。【００１０】  この警報装置を自転車に設けることにより、自転車使用中に亀裂やゆるみ等が���生すると自転車の使用者に警報手段で警報を発して、自転車の使用者に点検整備を促すことができる。
【発明の効果】
【００１１】  現状では自転車の走行中に亀裂やゆるみ等の異常が発生しても気がつかず、そのまま使用して自転車が壊れてから修理している場合も多く、その場合は修理費用も大幅にアップしてしまっていた。最悪は走行中に自転車が壊れて横転して負傷してしまう場合もあった。この発明によれば、自転車使用中に亀裂やゆるみ等が発生すると自転車の使用者に警報手段でランプ点灯や音を鳴らす方法で警報を発して、自転車の使用者に点検整備を促すことができるので、走行時の安全を確保できると共に、使用中の自転車の亀裂やゆるみ等を早期に発見して早期に修理できるので修理費用も安くできる。
【図面の簡単な説明】
【００１２】
【図１】この発明の第１実施形態を示すフローチャートである。
【図２】この発明の第２実施形態を示すフローチャートである。
【発明を実施するための形態】
【００１３】  以下、本発明にかかる第１実施形態について、図１を用いて説明する。第１実施形態における自転車用警報装置１Ａは、自転車の走行中の振動加速度を検出する前に、自転車に異常がない正常状態での振動加速度の検出か、自転車の異常監視状態での振動加速度の検出か、の検出条件を設定する設定手段１０を有している。設定手段１０で検出条件を設定した後に、検出手段２０で自転車の走行中の振動加速度を検出して、検出条件別にデータを出力する。
周波数分析手段３０Ａでは、検出手段２０で検出条件別に検出して出力されたデータを入力して、検出条件別に周波数分布を算出する。
【００１４】  設定手段１０で正常状態に設定して、検出手段２０で検出して出力されたデータを周波数分析手段３０Ａに入力して算出された周波数分布は、記憶手段４０Ａで自転車が正常状態の周波数分布として記憶される。
判定手段５０Ａでは、設定手段１０で異常監視状態に設定して、検出手段２０で検出して出力されたデータを周波数分析手段３０Ａに入力して算出された周波数分布を、記憶手段４０Ａで記憶されている周波数分布と、予め定められた判定基準に基づいて比較分析して、亀裂やゆるみ等の異常の有無を判定する。
判定手段５０Ａで亀裂やゆるみ等の異常が発生していると判定された場合には、警報手段６０で自転車の使用者に対して亀裂やゆるみ等の異常が発生していることを知らせる。
【００１５】  次に、第２実施形態について、図２を用いて説明する。第２実施形態における自転車用警報装置１Ｂは、自転車の走行中の振動加速度を検出する前に、自転車に異常がない正常状態での振動加速度の検出か、自転車の異常監視状態での振動加速度の検出か、の検出条件を設定する設定手段１０を有している。設定手段１０で検出条件を設定した後に、検出手段２０で自転車の走行中の振動加速度を検出して、検出条件別にデータを出力する。
周波数分析手段３０Ｂでは、検出手段で検出条件別に検出して出力されたデータを入力して、検出条件別にパワースペクトルを求めてピーク周波数を算出する。
【００１６】  設定手段１０で正常状態に設定して、検出手段２０で検出して出力されたデータを周波数分析手段３０Ｂに入力して算出されたピーク周波数は、記憶手段４０Ｂで自転車が正常状態のピーク周波数として記憶される。
判定手段５０Ｂでは、設定手段１０で異常監視状態に設定して、検出手段２０で検出して出力されたデータを周波数分析手段３０Ｂに入力して算出したピーク周波数と、記憶手段４０Ｂで記憶されている自転車正常状態のピーク周波数との周波数差値を算出して、周波数差値の絶対値が予め定められた判定値以上であると、亀裂やゆるみ等の異常が発生していると判定する。
【００１７】  判定手段５０Ｂで亀裂やゆるみ等の異常が発生していると判定された場合は、警報手段６０で自転車の使用者に対して亀裂やゆるみ等の異常が発生していることを知らせる。
【００１８】  警報手段６０の具体的な方法としては、自転車の使用者に対してランプを点灯して、亀裂やゆるみ等の異常が発生していることを知らせる。
【００１９】  尚、判定手段５０Ｂにおいて、判定手段５０Ｂの周波数差値が予め定められた判定値以上又は以下であると、判定手段５０Ｂで亀裂やゆるみ等の異常が発生していると判定してもよい。
【図１】
2018188115.tif 000003
【図２】
2018188115.tif 000004